(57)【要約】【課題】  成型ブロックを所定の位置まで容易に移動させると同時に、何らの損傷も与えることなく簡易に定置させて、施工に用いる機器のコストや作業の困難性を解消して効率の低減を図るブロックの定置方法を提供する。  【解決手段】  本発明によるブロックの定置方法は、一側に把持部１−１を備えたシート状パレット１を配置して、このパレット上に高密度な粘土系遮水材から成るブロック３を載置し、次いで、パレット１をブロック３の設置位置まで移動させ、しかる後に、把持部１−１を押さえたパレット１上からブロック３のみを所定の位置に定置することで、ブロックとパレットを持ち上げることなくブロックを所定の位置に定置させて、ブロックが損傷する可能性を低くして総合的な定置コストを安価にしている。【選択図】  図２
2005103470.tif 000002
【特許請求の範囲】
【請求項１】
一側に把持部を備えたシート状パレットを配置して、該パレット上に高密度な粘土系遮水材から成るブロックを載置し、次いで、該パレットをブロックの設置位置まで移動させ、しかる後に、上記把持部を押さえたパレット上からブロックのみを所定の位置に定置する高密度な粘土系遮水材から成るブロックの定置方法。
【発明の詳細な説明】
【技術分野】
【０００１】
本発明は、ブロックの定置方法に関し、特に、産業廃棄物や放射性廃棄物の遮水工に用いるブロックを損傷させることなく所定の位置に設置できるブロックの定置方法に関する。
【背景技術】
【０００２】
産業廃棄物や放射性廃棄物を地中に埋設処分する場合において、地下水に毒性物質を漏出させない遮水工に、ベントナイトあるいはベントナイトと骨材を混練した高密度な粘土系材料から成る遮水材が使われている。
【０００３】
遮水材を用いての遮水工では、原位置で締固めるためにローラー転圧装置や振動転圧装置を採用する場合もあるが、原位置での締固めでは、１００％配合のベントナイト材料の場合でも乾燥密度１．３Ｍｇ／ｍ3以上に構築することが困難なように、高い密度の粘土系遮水材を構築することは困難である。
【０００４】
そこで、事前に高い密度に成形した粘土系遮水材をブロック形状に形成して、原位置に積み上げることで遮水層を構築する方法も提案されており、粘土系土質材料をプレスすることで高密度な成型体に形成したり、分割した寸法形状のブロックに予め成型したりすることで、円筒型廃棄物の周囲に組み合わせて設置する例も報告されている。（例えば、技術文献1を参照）
【０００５】
本件出願人も、粘土系遮水材の原位置施工法やブロック定置施工法に関して、特願２００１−３８５４６３号、特願２００２−９５１３号、特願２００２−９５５２号、特願２００２−１７３８３８号、特願２００２−５７１６０号、及び特願２００２−１６７９２７号として、既に多くの関連出願を行っているが、粘土系遮水材をブロック形状に形成するために、図３に示すようなプレス装置も提案されている。
【０００６】
本プレス装置１０は、ベントナイト型枠１１を移動させるスライド用のシリンダー１２に支持されており、ベントナイト型枠１１の上下に配置されているシリンダー１３、１４によってベントナイト型枠１１中のベントナイト１５をブロック形状に圧縮成型している。
【０００７】
しかるに、成型したブロックを定置させて遮水工を行う場合には、例えば、２５ｃｍの立方体であるブロックの重量が３０ｋｇ程度になることから、２５ｃｍ以下のブロックでは人力による定置作業も、それより大きいブロックの場合には機械定置が必要になるという具合に、ブロック単体の大きさをどの程度にするかによって異なった施工方法を選択する必要があるために、施工におけるコストや効率に大きな影響を与えていた。
【０００８】
即ち、ブロックを定置させる施工コストを低く抑えるためには、比較的大きいブロックを作製して機械施工によって定置することが有用であるが、一方では、大きいブロックを製作するにはそれに対応させたプレス圧力を必要とし、取扱いにおいても大きい重機が必要になる等の不便さが発生する問題もあった。
【０００９】
さらに、粘土系遮水材から成るブロックは、強度の小さい材料から構成されるために圧縮強度が小さく、両側からの挟持に耐えられずに壊れる恐れがあり、パレットを使用するにしても、パレットが厚いとブロックをパレットに載置する際もしくはパレットから押し出す際に、パレットによって生じる段差でブロックが崩壊する危険性が多い。又、ブロックを上面から真空吸引で持ち上げる方法であっても、ブロックの自重と吸引圧によりブロックが引張り破壊する可能性が高い。そこで、このような問題点を改善するために、ブロックを下方から支える方式も提案されている。（例えば、特許文献1を参照）
【００１０】
しかして、本提案では非常に高度な制御を伴う定置装置が採用されているので、装置は複雑でコスト高であり、特に、ブロックの壊れ易さ故に作業の困難さが問題になる、ブロックの定置装置への載置や所定の設置位置に搬送しての定置手段については未解決である。
【００１１】
【非特許文献１】核燃料サイクル開発機構、「わが国における高レベル放射性廃棄物地層処分の技術的信頼性総論レポート」平成１１年１１月２６日発行、ｐ．ＩＶ−５２、
【特許文献１】特開２００２-３６２８９３号公報（段落番号「００１４」〜「００１５」、「００２０」、図１、２）
【発明の開示】
【発明が解決しようとする課題】
【００１２】
本発明は、上記の問題点に鑑みてその解決のために提案するものであり、産業廃棄物や放射性廃棄物の遮水工に用いる成型ブロックを所定の位置に定置する際に、成型ブロックを所定の位置まで容易に移動させると同時に、何らの損傷も与えることなく簡易に定置させて、施工に用いる機器のコストを低減し、作業の困難性を解消して効率の向上を図るブロックの定置方法を提供している。
【課題を解決するための手段】
【００１３】
本発明によるブロックの定置方法は、一側に把持部を備えたシート状パレットを配置して、パレット上に高密度な粘土系遮水材から成るブロックを載置し、次いで、パレットをブロックの設置位置まで移動させ、しかる後に、上記把持部を押さえたパレット上からブロックのみを所定の位置に定置させている。
【００１４】
これによって、本発明によるブロックの定置方法では、パレットを敷設して置き、その上に成形ブロックを持ち上げることなく載置し、薄いパレットの把持部を掴んで成型ブロックをフォークリフト等に引き上げて簡単に運搬するものであり、廃棄物や放射性廃棄物を処理する原位置においても、ブロックを遮水工のために所定位置に移動させ、パレットの把持部を押さえながら伸長する部材による押し出しするのみで成型ブロックを持ち上げることなく積上げ定置させることで遮水層を簡易かつ安全に構築できる。
【００１５】
従って、ブロックは、移動させるために側方から掴んで持ち上げる等の作業をなくしてパレット上に載置してブロックが損傷する可能性を低くし、運搬機も市販のフォークリフト等が使用できると共に、パレットを押さえながらブロックを押し出して定置することで段差によるブロックの壊れを無くして、総合的な定置コストを安価にしている。
【発明の効果】
【００１６】
本発明によるブロックの定置方法は、一側に把持部を備えたシート状パレットを配置して、パレット上に高密度な粘土系遮水材から成るブロックを載置し、次いで、パレットをブロックの設置位置まで移動させ、しかる後に、把持部を押さえたパレット上からブロックのみを所定の位置に定置させることで、以下の具体的な効果の下に総合的な定置コストを安価にする効果を奏している。
【００１７】
１）パレットは、ブロックを引張りに対応できる強度に薄くできるので、成型ブロックの  載置が段差を無くして安定的にできる。
２）薄いパレット上に載置した成型ブロックを市販の運搬機で容易に運搬できる。
３）成型ブロックの定置は、ブロックに何らの損傷も与えずに簡易に施工できる。
４）施工機器のコストを低減し、作業の困難性を解消して効率を向上できる。
【発明を実施するための最良の形態】
【００１８】
本発明によるブロックの定置方法は、一側に把持部を備えたシート状パレットを配置して、パレット上に高密度な粘土系遮水材から成るブロックを載置し、次いで、このパレットをブロックの設置位置まで移動させ、しかる後に、把持部を押さえたパレット上からブロックのみを所定の位置に定置させている。
【実施例１】
【００１９】
本発明によるブロックの定置方法についての実施の形態を、以下に図面に基づいて詳細に説明する。
【００２０】
本発明に用いるパレット１は、図1に示す実施の形態のように、想像線で示している成  型ブロック３の底面積と殆ど同じ寸法に作成されており、その一側にこれを掴んで引っ張ることが可能な把持部１−１を備えている。パレット１をブロックの底面積と同じ大きさにすることは、フォークリフトのつめをこれ以下の大きさにすることで、ブロックを定置するための空間がブロックの大きさと殆ど同じであったとしても、ブロックを容易に定置させることが可能である。
しかして、ブロックを定置するための空間が狭い隙間で無い場合には、当然のことながらパレット１の大きさをブロックの底面積より大きくすることも可能である。
【００２１】
又、パレット１は、上部に載せた数１００ｋｇの重量から成るブロック３を一体に持ち上げる必要が無いので、引っ張りに対応できるだけの強度があれば性能的に充分であることから、数ｍｍ厚程度の薄いプラスチック製であってよいものであり、ブロック３を横方向に移動させて載置させる際にも段差は殆ど生じないものである。
【００２２】
本発明によるブロックの定置方法では、所望の高密度粘土系ブロック３を成型させてから、薄いパレット１の上に側方から掴んで持ち上げることなく横方向に移動させることで搭載することもできるが、図２の成型工程図が示す実施の形態のように、パレット１の上において直かに成型させることによってブロックの崩壊をさらに防止できるものである。
【００２３】
図２（ａ）は、パレット１の設置状態を示しており、ブロックの底面と殆ど同等形状の寸法に構成された薄いパレット１は、鋼板もしくは床の上に敷設されている。次いで、パレット１の上には、図２（ｂ）のようにブロックの成型型枠２を配置することで、高い密度の粘土系遮水材を重錘締固め方式やプレス方式等によってブロックを成形している。
【００２４】
次いでのブロック製作後における型枠２の解体・撤去は、周辺から型枠を剥離する取り除きのみなので極めて容易であり、しかる後の成型ブロック３は、そのままの状態で図２（ｃ）のように薄いパレット１の上に載置した形態を構成することで、以降の運搬に自然に対応している。
【００２５】
以上のように、本発明は、従来からの問題点であったブロックが両側からの挟持と引張りに耐えることができずに崩壊する恐れや、パレットに載置するための持ち上げやパレットからブロックを押し出して定置させる場合であっても、ブロックに生じる段差による崩壊の危険性を回避しており、高い密度の粘土系遮水材から成るブロックの製造と取扱を簡易かつ確実にしている。
【００２６】
図３は、ブロックの定置方法における現時点へのブロックの運搬と定置の工程を実施の形態として示している。
図３（ａ）は、ブロック３をフォークリフト等の運搬機４に載置して移動させている状態を示しているが、本実施の形態では、薄いパレット１の把持部１−１を拘引器具４-１で掴むことによって、パレット１上のブロック３を運搬機４のフォーク４−２に引張り揚げることで、移動できる状態に容易に移行させることが可能である。
【００２７】
運搬機４に移行された成型ブロック３は、パレット１の上に載置されたままの状態で運搬機４によって廃棄物や放射性廃棄物を処理する原位置に簡単に運搬できるものであり、本発明では、原位置にあっても成型ブロック３の移動操作を容易にしている。
【００２８】
即ち、運搬機４に載せられた成型ブロック３は、所定の場所まで容易に運ばれ、図３（ｂ）のように成型ブロック３を遮水工のために所定位置に移動させながら積み上げることで、廃棄物や放射性廃棄物を処理する遮水層を構築している。
【００２９】
現位置において、成型ブロック３は、既に定置されている成型ブロック５上の所定位置に暫時配置されて行き、位置決めを行った後に定置されるが、運搬機４からの降下は、薄いパレット１の把持部１−１を拘引器具４-１で掴むことでパレット１を押さえながら、運搬機４の伸長部材４−３によって押し出すことで簡単に実施することができる。
【００３０】
そこで、成型ブロック５の所定位置に運搬機４を近づけて、図示のようにフォーク４−２を成型ブロック５上の所定位置に配置することで、成型ブロック３の高低位置を成型ブロック５との間に段差を生じないようにその位置を一致させており、パレット１を拘引器具４-１で掴んで固定しながら伸長部材４−３を押出すのみなので、成型ブロック３に何らの衝撃を与えることなくパレット１の上から成型ブロック５の上に円滑かつ簡単に移動させている。
【００３１】
以上のように、本発明では、成型ブロックを定置する場合においても、成型ブロックを運搬機４に載置する場合と同様に、従来からの問題点を容易に回避して、高い密度の粘土系遮水材から成るブロックの定置を簡易かつ確実に施工することができる。
【００３２】
以上、本発明を実施の形態に基づいて詳細に説明してきたが、本発明によるブロックの定置方法は、これに限定されるものでなく、発明の趣旨を逸脱しない範囲において各種の変更が可能であることは、当然のことである。
【産業上の利用可能性】
【００３３】
本発明によるブロックの定置方法は、産業廃棄物や放射性廃棄物を地中に埋設処分する際に毒性物質が地下水に漏出しないように抑制する遮水工に用いるブロックを所定の位置にブロックの崩壊を回避しながら容易に定置できる。
【図面の簡単な説明】
【００３４】
【図１】本発明によるブロックの定置方法に用いるパレットの実施の形態図
【図２】本発明のブロックの定置方法においてパレット上にブロックを載置する工程を示す実施の形態図
【図３】本発明のブロックの定置方法においてパレット上のブロックを定置する工程を示す実施の形態図
【図４】従来のブロック圧縮成型装置
【符号の説明】
【００３５】
１  パレット、  １−１  把持部、  ２  型枠、  ３、５  成型ブロック、
４  運搬機、  ４−１  拘引器具、  ４−２  フォーク、  ４−３  伸長部材、
１０  プレス装置、  １１  ベントナイト型枠、  １２、１３、１４    シリンダー、  １５  ベントナイト、
【図１】
2005103470.tif 000003
【図２】
2005103470.tif 000004
【図３】
2005103470.tif 000005
【図４】
2005103470.tif 000006